(57)【要約】【課題】乾燥時における変色・退色を防止して草花の鮮やかな原色を表現することを可能とし、しかも、原色の鮮やかな色調を長時間維持することができる高品質な押花絵を提供する。【解決手段】含水率が約５０〜７０％の半乾燥状態である半乾燥草花を、クッション部材を細目の布体で巻回すると共にその表面に顔料を擦り付けて着色した台紙上に配置し、乾燥剤及び脱酸素剤と共に透明硬質版及びアルミ箔などの防湿シートで挟持し、さらにその周縁を接着、密封して形成した。【選択図】図４
2008126470.tif 000002
【特許請求の範囲】
【請求項１】
含水率が約５０〜７０％の半乾燥状態である半乾燥草花を、
クッション部材を細目の布体で巻回すると共にその表面に顔料を擦り付けて着色した台紙上に配置し、
乾燥剤及び脱酸素剤と共に透明硬質版及びアルミ箔などの防湿シートで挟持し、
さらにその周縁を接着、密封して形成した押花絵。
【請求項２】
採取した草花を吸水紙で挟持すると共に加圧して含水率が約５０〜７０％の半乾燥状態とする半乾燥工程と、
同半乾燥工程において半乾燥状態とした前記草花を、クッション性を有すると共にその表面に顔料を擦り付けて着色された台紙上に絵画的に配置する配置工程と、
同配置工程にて前記草花を配置してなる前記台紙を、乾燥剤及び脱酸素剤と共に透明硬質板及びアルミ箔などの防湿シートにて挟持し、さらにその周縁を接着して密封する密封工程と、
同密封工程にて密封した前記半乾燥状態の草花を無酸素状態で乾燥させる乾燥工程と、
を有することを特徴とする押花絵の製造方法。
【発明の詳細な説明】
【技術分野】
【０００１】
本発明は、押花絵及び押花絵の製造方法に関する。
【背景技術】
【０００２】
従来、押花絵として、フィルム材で一体成型した袋体の一面側に窓孔を設け、この窓孔に透明プレートを接着して形成した押花収納袋体中に、台紙上に配置した乾燥押花を前記透明プレートに対向させて収納し、これを密封して形成したものが知られている。（例えば、特許文献１を参照）。
【特許文献１】特開平０８−１６５２０２号公報
【発明の開示】
【発明が解決しようとする課題】
【０００３】
ここで、押花絵を製造するに当たり最も重要な点として、押花素材とする草花の採取した当時の鮮やかな原色を、如何に押花絵上においても表現できるか、という点が挙げられる。
【０００４】
草花は、乾燥時においてその色を変色・退色することが多いが、その変色は乾燥工程の末期において起こることが多い。
【０００５】
しかしながら、上記従来の押花絵は、乾燥押花を密封状態で保持するため、押花絵への加工後に変色や退色が生じることを防止することはできたものの、採取した草花を乾燥装置等の用具を用いて完全に乾燥させた後に押花絵として加工するようにしていたため、押花絵としての加工前、すなわち乾燥過程において変色や退色が生じてしまうことが多かった。
【０００６】
しかも、草花は、乾燥に伴い硬化してしまうため、草花の形状が曲がった状態で乾燥されると、再度形状を整えようとしても、葉や花が折れたり破れたりして、整形作業が困難であった。
【０００７】
本発明は、斯かる事情に鑑みてなされたものであって、草花の採取した当時の原色を可及的に鮮やかに表現することができると共に、その原色を長期間維持することができる押花絵を提供する。
【課題を解決するための手段】
【０００８】
請求項１に係る本発明は、含水率が約５０〜７０％の半乾燥状態である半乾燥草花を、クッション部材を細目の布体で巻回すると共にその表面に顔料を擦り付けて着色した台紙上に配置し、乾燥剤及び脱酸素剤と共に透明硬質版及びアルミ箔などの防湿シートで挟持し、さらにその周縁を接着、密封して形成した押花絵とした。
【０００９】
また、請求項２に記載の本発明は、採取した草花を吸水紙で挟持すると共に加圧して含水率が約５０〜７０％の半乾燥状態とする半乾燥工程と、同半乾燥工程において半乾燥状態とした前記草花を、クッション性を有すると共にその表面に顔料を擦り付けて着色された台紙上に絵画的に配置する配置工程と、同配置工程にて前記草花を配置してなる前記台紙を、乾燥剤及び脱酸素剤と共に透明硬質板及びアルミ箔などの防湿シートにて挟持し、さらにその周縁を接着して密封する密封工程と、同密封工程にて密封した前記半乾燥状態の草花を無酸素状態で乾燥させる乾燥工程と、を有することを特徴とする押花絵の製造方法とした。
【発明の効果】
【００１０】
本発明によれば、従来、草花を乾燥させる工程において多く発生していた変色及び退色を防止して、草花の採取した当時の鮮やかな原色を鮮明に表現した押花絵を製造することができると共に、その鮮明な原色を長期間にわたり維持することができる押花絵を提供することができる。
【００１１】
具体的には、押花絵の原料である草花を、半乾燥状態で乾燥剤や脱酸素剤と共に密封することで草花の乾燥の末期工程を無酸素状態で進行させて乾燥に到らせることができ、乾燥末期に発生しやすい変退色を可及的に低減することができる。
【発明を実施するための最良の形態】
【００１２】
本発明は、乾燥過程において発生しやすい草花の変色や退色を、可及的に低減可能としており、草花を押花絵へと加工したときにも、草花の採取当時の原色を表現することができるようにしている。
【００１３】
以下、本実施形態に係る押花絵の製造方法について、図面を参照して説明する。
【００１４】
図５は、本実施形態に係る押花絵の製造工程を示したフローチャートであって、図５に示すように、本実施形態に係る押花絵は、採取した草花を吸水紙で挟持すると共に加圧して含水率が約５０〜７０％の半乾燥状態とする半乾燥工程Ｓ１と、同半乾燥工程Ｓ１において半乾燥状態とした前記草花を、クッション性を有すると共にその表面に顔料を擦り付けて着色された台紙上に絵画的に配置する配置工程Ｓ２と、同配置工程Ｓ２にて前記草花を配置してなる前記台紙を、乾燥剤及び脱酸素剤と共に透明硬質板及びアルミ箔などの防湿シートにて挟持し、さらにその周縁を接着して密封する密封工程Ｓ３と、同密封工程Ｓ３にて密封した前記半乾燥状態の草花を無酸素状態で乾燥させる乾燥工程Ｓ４とを経て製造される。この各工程Ｓ１〜Ｓ４については、以下に詳説する。
【００１５】
図１は、本実施形態に係る押花絵１の製造過程において、採取した草花の乾燥方法を示した説明図である。
【００１６】
先ず、半乾燥工程Ｓ１として、図１に示すように、野山等で押花として使用する草花５０を採取した後、数枚から数十枚のざら紙などの給水紙を束ねて形成した吸水体５１にて挟持する。そして吸水体５１の両側に薄板５２を配置すると共にこの周面を紐体等で強く縛り、固定する。なお草花５０は、図１に示すように葉や茎、或いは枝の付いた花を主としたり、葉を主としたりなど、好みに応じて用いることができる。
【００１７】
比較的小さな草花等は、収縮や縮れが生じやすく、草花の本来の美しい姿形を損なわれ易いが、このようにすることで、採取した草花５０の収縮や縮れを防止して、草花の自然な美しい形状を保持することができる。
【００１８】
なお、図示していないが、この吸水体５１を数十枚重合させてその両側に薄板５２を配置し、これらの一側端を縫着等して一体とした草花挟持体を形成してもよい。このような一体の草花挟持体を形成することで、採取した草花を容易に挟持することができる。
【００１９】
そして、草花を吸水紙にて挟持した状態のまま、吸水紙或いは薄板の上に３〜１０ｋｇ、好ましくは５ｋｇ程度の重錘を載置し、室温、好ましくは２５℃前後で約４〜１０時間保持する。なお、重錘の重量や室温、加圧時間などの条件は、挟持する草花の種類や天候、湿度などによって適宜調節する。
【００２０】
このように加圧した状態で保持することで、草花５０は、含水率が約５０〜７０％の半乾燥状態に移行した半乾燥草花８に形成される。このように、草花５０を、特別な装置などを用いることなく可及的に穏やかに半乾燥状態へ移行させるため、急速な乾燥に伴う変色を防止することができる。
【００２１】
また、乾燥が完全に完了した状態では草花の姿勢を矯正することは困難であるが、半乾燥状態である半乾燥草花８は、花びらや葉が折れたり曲がったりしていた場合でも、美しい姿に矯正した状態で押花絵を形成することができる。
【００２２】
次に密封工程Ｓ３として、半乾燥状態とした半乾燥草花８を、吸水紙から取り出し、クッション性を有する台紙上に絵画的に配置し、これを乾燥剤及び脱酸素剤と共に透明硬質板及びアルミ箔３６などの防湿シートにて挟持した後、その周縁を接着して密封し、内部に収容した半乾燥草花８を無酸素状態にて乾燥させる。このような構成とすることで、半乾燥草花８を、変退色の起こり易い乾燥末期を無酸素状態で徐々に乾燥させることができるため、草花の変退色を可及的に低減させることができ、草花を採取した当時の原色を可及的に鮮やかに保持した押花絵を得ることができるし、この原色を長期間維持することができる。
【００２３】
以下、本実施形態に係る押花絵について、図面を参照しながら説明する。図２は、本実施形態に係る押花絵の断面を模式的に示した説明図、図３は、本実施形態にかかる押花絵の台紙を模式的に示した説明図、図４は、本実施形態に係る押花絵の斜視図である。
【００２４】
本実施形態に係る押花絵３０は、図２に示すように、含水率が約５０〜７０％の半乾燥状態の草花３１を、台紙３２上に絵画的に配置し、これを乾燥剤３３と脱酸素剤３４と共に透明硬質板３５とアルミ箔３６とで挟持し、その周縁を接着剤で接着し、密封して構成している。
【００２５】
半乾燥草花３１を載置する台紙３２は、図３に示すように、クッション性を有する厚目の不織布１２を織目の細かい布体１４で巻回して形成している。台紙３２をこのような構成としたため、台紙の周面に顔料を擦り付けて任意に着色し易いという効果が在る。顔料としては、パステル等の粉体顔料、その中でも特にソフトパステルが最適であり、細目の布体１４の微細な目地が粉体顔料を確実に挟持するため、台紙３２を斑なく着色することができ、美しい仕上がりとすることができる。なお、不織布１２の代わりにクッション性の高い他の部材を使用することもでき、例えばウレタンマットなどを使用することもできる。
【００２６】
また、台紙３２のクッション性を向上させたことで、木の細枝や花芯の厚い花を押花にする際にも、これらの押花材料を折ったり破ったりして傷めてしまう事を防止して、可及的に原型の美しい形を保持可能であるようにしている。また、半乾燥草花３１に含まれる水分を、不織布１２が効果的に吸収すると共に、草花の収縮や変形を一定圧力で防止し、草花の保型機能を十分に果たしうるものとして構成している。
【００２７】
また、半乾燥草花３１と共に密封される乾燥剤３３は、無水塩化カルシウムを主剤とする配合乾燥剤である。
【００２８】
押花絵３０の表側から半乾燥草花３１を挟持させる透明硬質板３５は、透明ガラス板、或いは透明硬質プラスチック板等を使用する。
【００２９】
半乾燥草花３１を挟持した台紙３２を密封する方法としては、台紙３２を挟持する透明硬質板３５とアルミ箔３６の周面を無溶媒型の接着剤で互いに接着して密封することに限定されず、半乾燥草花３１を挟持した透明硬質板３５とアルミ箔３６を、乾燥剤３３と脱酸素剤３４と共に可撓性かつ密封性の高い透明袋体の中に封入し、内部の空気を脱気して密封するようにしても良い。
【００３０】
このように半乾燥草花３１を密封した状態にすると、密封された内部空間は同封した脱酸素剤３４によって徐々に無酸素状態にされる。そしてこのような無酸素状態において、乾燥剤３３により半乾燥草花３１の乾燥を進行させることができるため、変色の生じ易い乾燥末期においても、草花の変退色を大幅に抑えることができて、草花の原色を可及的に鮮やかに保持することができる。
【００３１】
そして、このように密封した状態で２〜３日放置すれば、半乾燥状態だった草花は乾燥して、長期間の保存中も草花の色彩が変色・退色しない色鮮やかな押花絵とすることができる。
【００３２】
この押花絵の大きさについては限定されることはなく、壁面に懸架して鑑賞するような大型サイズの押花絵やポストカードサイズの押花絵等、種々の寸法で形成することができる。
【００３３】
このように、本発明によれば、押花絵の原料として、半乾燥状態である草花を乾燥剤及び脱酸素剤と共に密封することで、半乾燥草花８を、無酸素状態で徐々に乾燥させることができるため、草花の変色や退色を確実に低減して、草花の原色を可及的に鮮やかに保持することができる押花絵を提供することができる。また、パステル等の粉体顔料による台紙の着色が容易で、仕上がりの美しい高品質な押花絵を提供することができる。
【図面の簡単な説明】
【００３４】
【図１】押花絵に使用する草花の半乾燥方法を示した説明図である。
【図２】本実施形態に係る押花絵の断面を模式的に示した説明図である。
【図３】本実施形態に係る押花絵の台紙を模式的に示した説明図である。
【図４】本実施形態に係る押花絵の斜視図である。
【図５】本実施形態に係る押花絵の製造工程を示したフローチャートである。
【符号の説明】
【００３５】
１  押花絵
６  台紙本体
８  半乾燥草花
３０  押花絵
３１  半乾燥草花
３２  台紙
３３  乾燥剤
３４  脱酸素剤
３５  硬質透明板
３６  アルミ箔
【図１】
2008126470.tif 000003
【図２】
2008126470.tif 000004
【図３】
2008126470.tif 000005
【図４】
2008126470.tif 000006
【図５】
2008126470.tif 000007